(57)【要約】      （修正有）【課題】取り外し可能な２個の部分を有し、その内の１個の部分が、電源の供給を受けるとともに、金属性のピンやクリップなどが吸着されることのない取り外し容易な電源アダプタを提供する。【解決手段】メインアダプタ部２００と、サブアダプタ部３００との２個の部分を有する電源アダプタであって、電源の供給を受けるためのメインアダプタ部と、メインアダプタ部と取り外し可能なサブアダプタ部と、を有する。サブアダプタ部は、メインアダプタ部と吸着するための磁石からなるマグネット部を有し、メインアダプタ部は、マグネット部と吸着するための被吸着部２０４を有する。【選択図】図１
0003222881.tif 000002
【実用新案登録請求の範囲】
【請求項１】
電源の供給を受けるためのメインアダプタ部と、
前記メインアダプタ部と取り外し可能なサブアダプタ部と、を有し、
前記サブアダプタ部は、前記メインアダプタ部と吸着するための磁石からなるマグネット部と、
前記メインアダプタ部は、前記マグネット部と吸着するために被吸着部と、を、さらに有する電源アダプタ。
【請求項２】
前記メインアダプタ部は、電源の供給を受けるための一対の栓刃と、前記一対の栓刃と電気的に接続するピン受け部と、を有し、
前記サブアダプタ部は、前記ピン受け部と、電気的に接続するために、取り外し可能に配置された端子部と、を有し、
前記マグネット部は、前記端子部の周囲に配置されるとともに、前記被吸着部は、前記ピン受け部の外方に配置される請求項１記載の電源アダプタ。
【請求項３】
前記端子部に、絶縁体となる皮膜を有する請求項２記載の電源アダプタ。
【請求項４】
前記メインアダプタ部は、電気機器と接続して電源を供給するためのテーブルタップ部を有する請求項１から３のいずれか記載の電源アダプタ。
【請求項５】
前記サブアダプタ部は、コンセント刃の抜け止めを防止するための抜け止め部と、を有し、
前記抜け止め部は、使用者が、押圧するための押圧部と、
前記押圧部と係合するコンセント係合部と、を有し、
前記コンセント係合部は、当該コンセント係合部の内部にコンセント孔部と、を具備し、
前記コンセント孔部に、コンセント刃を挿入したときに、前記使用者が、前記押圧部を押圧すると、前記コンセント孔部と前記コンセント刃との係合が解かれ、前記コンセント刃を抜き出すことができる請求項１から３のいずれかに記載の電源アダプタ。
【請求項６】
前記メインアダプタ部は、コンセントの一部として配置されている請求項１記載の電源アダプタ。
【考案の詳細な説明】
【技術分野】
【０００１】
本考案は、取り外し容易な電源アダプタに関するものである。
【背景技術】
【０００２】
従来、電源コードに外力が作用した場合にその電源コードを断線することなく、２個の部分に分離可能な電源アダプタが用いられている。これはマグネットによりその２個の部分が取り外し可能に構成されており、コンセントと電源プラグとの接続力よりも弱い力で互いに分離することができるものである。
【０００３】
このような、マグネット式の電源アダプタとして、既設のコンセントに挿抜可能な栓刃が突設されるとともに該栓刃に電気的に接続された端子部を備える第１のアダプタ半体と、第１のアダプタ半体に対して着脱可能に結合され、第１のアダプタ半体の端子部に電気的に接続可能な端子ピンが突設されるとともに該端子ピンに電気的に接続されかつ前記コンセントに挿抜可能なプラグに設けたプラグ栓刃を受ける刃受け部を備える第２のアダプタ半体とからなり、第１のアダプタ半体と第２のアダプタ半体とは一方に設けたマグネットと他方に設けた磁性体よりなる磁着片との間に作用する磁着力によって結合され、該結合状態を示す表示手段を第１のアダプタ半体と第２のアダプタ半体とのいずれか一方に設けたことを特徴とするマグネット式コンセントアダプタが、特開２００４-２０６９７３号公報に開示されている。
【０００４】
上記発明は、２個の部分のうち１個の部分である第１のアダプタ半体と、他の一個の部分である２のアダプタ半体のうち、第１のアダプタ半体にマグネットを配置することで、第２のアダプタ半体と着脱可能に取り付けることができるというものである。しかしながら、上述の第１のアダプタ半体は、住宅等に配置されているコンセントと接続して、電気を第２のアダプタ半体に供給するものであり、このマグネットに、金属性のピンやクリップなどが吸着されると、感電などの事故を起こす可能性がある。
【０００５】
そこで、そのような事故を起こさないように、第１のアダプタ半体に配置した、第２のアダプタ半体に設けた端子を受けいれるための孔部に、開閉可能な蓋を設けたものが存在するが、その構造が複雑となる。
【先行技術文献】
【特許文献】
【０００６】
【特許文献１】特開２００４-２０６９７３号公報
【考案の開示】
【考案が解決しようとする課題】
【０００７】
本考案は前記の点に着目してなされたもので、その課題は、２個の部分を有する電源アダプタであって、その内の１個の部分が、電源の供給を受けるとともに、金属性のピンやクリップなどが吸着されることのない電源アダプタを提供することを目的とする。
【０００８】
第１観点における電源アダプタは、電源の供給を受けるためのメインアダプタ部と、メインアダプタ部と取り外し可能なサブアダプタ部と、を有し、サブアダプタ部は、メインアダプタ部と吸着するための磁石からなるマグネット部と、メインアダプタ部は、マグネット部と吸着するために被吸着部と、を、さらに有するというものである。
【０００９】
第２観点における電源アダプタは、第１観点において、メインアダプタ部は、電源の供給を受けるための一対の栓刃と、一対の栓刃と電気的に接続するピン受け部と、を有し、サブアダプタ部は、ピン受け部と、電気的に接続するために、取り外し可能に配置された端子部と、を有し、マグネット部は、端子部の周囲に配置されるとともに、被吸着部は、前記ピン受け部の外方に配置されるというものである。
【００１０】
第３観点における電源アダプタは、第２観点において、端子部に、絶縁体となる皮膜を有するというものである。
【００１１】
第４観点における電源アダプタは、第１観点から第３観点において、メインアダプタ部は、電気機器と接続して電源を供給するためのテーブルタップ部を有するというものである。
【００１２】
第５観点における電源アダプタは、第１観点から第３観点において、サブアダプタ部は、コンセント刃の抜け止めを防止するための抜け止め部と、を有し、抜け止め部は、使用者が、押圧するための押圧部と、押圧部と係合するコンセント係合部と、を有し、コンセント係合部は、そのコンセント係合部の内部にコンセント孔部と、を具備し、コンセント孔部に、コンセント刃を挿入したときに、前記使用者が、前記押圧部を押圧すると、前記コンセント孔部とコンセント刃との係合が解かれ、そのコンセント刃を抜き出すことができるというものである。
【００１３】
第６観点における電源アダプタは、第１観点において、メインアダプタ部は、コンセントの一部として配置されているというものである。
【考案の効果】
【００１４】
本考案によれば、２個の部分を有する電源アダプタであって、その内の１個の部分が、電源の供給を受けるとともに、金属性のピンやクリップなどが吸着されることのない電源アダプタを提供することができる。
【図面の簡単な説明】
【００１５】
【図１】メインアダプタ部と、サブアダプタ部とを有する電源アダプタの斜視図である。
【図２】メインアダプタ部の分解斜視図である。
【図３】Ａは、メインアダプタ部の平面図である。Ｂは、メインアダプタ部の正面図である。Ｃは、メインアダプタ部の底面図である。Ｄは、メインアダプタ部の側面図である。
【図４】サブアダプタ部の分解斜視図である。
【図５】Ａは、サブアダプタ部の平面図である。Ｂは、サブアダプタ部の正面図である。Ｃは、サブアダプタ部の右側面図である。Ｄは、サブアダプタ部の左側面図である。
【図６】Ａは、図５ＢのＩＶＡ−ＩＶＡ線断面図である。Ｂは、図５ＡのＩＶＢ−ＩＶＢ線断面図である。
【図７】Ａは、第２実施例のメインアダプタ部の斜視図である。Ｂは、第２実施例のメインアダプタ部の底面からの斜視図である。Ｃは、第２実施例のメインアダプタ部の正面図である。
【図８】Ａは、第３実施例のメインアダプタ部の斜視図である。Ｂは、第３実施例のメインアダプタ部の底面からの斜視図である。
【図９】Ａは、第４実施例のメインアダプタ部の斜視図である。Ｂは、第４実施例のメインアダプタ部の底面からの斜視図である。
【図１０】Ａは、他のメインアダプタ部の斜視図である。Ｂは、電気機器と接続した他のサブアダプタ部の斜視図である。
【図１１】Ａは、他の第２メインアダプタ部の平面図である。Ｂは、他の第２メインアダプタ部の側面図である。Ｃは、他の第２メインアダプタ部の底面図である。
【図１２】Ｄは、他の第２メインアダプタ部の右側面図である。Ｅは、図１１Ａにおける他の第２メインアダプタ部のＸＩＩＥ−ｘＩＩＥ線断面図である。Ｆは、図１１Ａにおける他の第２メインアダプタ部のＸＩＩＦ−ｘＩＩＦ線断面図である。
【図１３】他の第２メインアダプタ部を第１コンセントに配置した状態図である
【図１４】従来のコンセントにメインアダプタ部を挿入しようとしつつ、そのメインアダプタ部にサブアダプタ部を挿入しようとする状態図である。
【考案を実施するための形態】
【００１６】
本実施例における電源アダプタ１０は、２個の部分を有し、その内の１個の部分であるメインアダプタ部２００と、他の１個の部分であるサブアダプタ部３００と、を有するものである。メインアダプタ部２００は、電源の供給を受けるためのものである。従って、メインアダプタ部２００は、電源と接続するものであり、箱状を呈し、筐体としての第１本体部２０１を有している。第１本体部２０１は、２部材（２０１ａ、２０１ｂ）に分割可能に構成されている。第１本体部２０１は、例えば建物に配置されている従来のコンセントＣ２（図１４参照）から電力の供給を受けるための一対の栓刃２０２、２０２と、を有する。また一対の栓刃２０２、２０２は、一対のピン受け部２０３、２０３と電気的に接続されている。 一対の栓刃２０２、２０２は、平板状を呈し、それらは第１本体部２０１から突出するように互いに平行に配置されている。
【００１７】
メインアダプタ部２００は、さらに被吸着部２０４、２０４を有し、その被吸着部２０４、２０４のほぼ中央に、孔状を呈する孔部２０５、２０５を有する。また、一対のピン受け部２０３、２０３は、被吸着部２０４、２０４の内方に配置されている。換言すれば、ピン受け部２０３、２０３の外方に被吸着部２０４、２０４が配置されている。従って、被吸着部２０４、２０４が外部に露出する構成であり、ピン受け部２０３、２０３は、いわば、孔状を呈する孔部２０５、２０５以外の部分を被吸着部２０４、２０４によって覆われている構成である。上述のとおり、被吸着部２０４、２０４のほぼ中央に、孔状を呈する孔部２０５、２０５を有するので、その孔部２０５、２０５を通じて、一対のピン受け部２０３、２０３に、後述するサブアダプタ部３００における一対の端子部３０２、３０２が接するという構成である。これによって、ピン受け部２０３、２０３から、一対の端子部３０２、３０２に通電する。
【００１８】
また、被吸着部２０４、２０４は互いに隣接して配置されており、その境界部分に、第１本体部２０１の一部を構成し、かつ壁となる壁部２０７を有する。この壁部２０７によって、被吸着部２０４、２０４は互いに仕切られている。また、被吸着部２０４、２０４は、文字通り、磁石と吸着する素材が好ましく、例えば、鉄系の素材が好ましい。
【００１９】
また、例えばテレビ、電灯などの図示しない電気機器に電気を供給するためのコンセント部２１０を、第１本体部２０１の上面２０１ｃに配置している。メインアダプタ部２００を、通常のテーブルタップとしても使用するためである。コンセント部２１０は、導電性を有する接続部材２１１、２１１を介して、それぞれ一対の栓刃２０２、２０２と電気的に接続されている。
【００２０】
また、本実施例におけるサブアダプタ部３００は、図示しない電気機器と接続するものであり、箱状を呈し、筐体としての第２本体部３０１は、２部材（３０１ａ、３０１ｂ）に分割可能に構成されている。また、第２本体部３０１における第１側面部３０１ｃに一対の端子部３０２、３０２と、を有する。また、一対の端子部３０２、３０２とそれぞれ電気的に接続された一対の電気プラグを挿入するためのプラグ受け入れ部３０３、３０３を、その第２側面部３０１ｄに有する。このプラグ受け入れ部３０３、３０３に、上述の図示しない電気機器の電源コードを接続することでその電気機器に電気を供給する。
【００２１】
また、一対の端子部３０２、３０２の周囲に、被吸着部２０４、２０４と吸着する磁石からなるマグネット部３０４、３０４を有する。すなわちマグネット部３０４、３０４は、それぞれ孔であるマグネット孔部３０５、３０５を有し、そのマグネット孔部３０５，３０５に、一対の端子部３０２、３０２がそれぞれ、挿入されることで、その一対の端子部３０２、３０２の周囲に配置されたマグネット部３０４、３０４が、被吸着部２０４、２０４と吸着する構成である。このように、サブアダプタ部３００におけるマグネット部３０４、３０４を一対の端子部３０２、３０２の周囲に配置する。これにより、一対の端子部３０２、３０２とは別の位置にマグネット部を配置することよりも、筐体としての第２本体部１０１を可及的に小型化することができる。また、サブアダプタ部３００に、マグネット部３０４、３０４を配置することで、仮にこのマグネット部３０４、３０４に、ピンやクリップなどが吸着しても、サブアダプタ部３００は電源と直接接続するものではないために感電する恐れは少ない。
【００２２】
なお、一対の端子部３０２、３０２の先端部３０２ａ、３０２ａのみ通電するようにし、その軸部３０２ｂ、３０２ｂを絶縁するように絶縁部材で覆うこともできる。絶縁部材は、絶縁する皮膜となるPBT樹脂(ポリブチレンテレフタレート樹脂)が好ましい。
【００２３】
またマグネット部３０４、３０４は、側面視外方に突出する凸状を呈する。また、一対のマグネット部３０４、３０４は、上述の被吸着部２０４、２０４と吸着し、また、溝部３０６は、壁部２０７と嵌合するというものである。これにより、メインアダプタ部２００と、サブアダプタ部３００が接続する際の位置ずれを防止することができる。なお、このときに、被吸着部２０４、２０４における孔部２０５、２０５を通じて、一対のピン受け部２０３、２０３に、サブアダプタ部３００における一対の端子部３０２、３０２が接することでメインアダプタ部２００と、サブアダプタ部３００とが通電するというものである。
【００２４】
サブアダプタ部３００は、図示しない電気機器のコンセント刃が抜けることを防止するための抜け止め部３５０を有している。抜け止め部３５０は、プラグ受け入れ部３０３、３０３に挿入された図示しない電気機器のコンセントの刃が、抜けることを防止するためのものである。抜け止め部３５０は、図示しない使用者がコンセントの刃を取り外しするために押圧する押圧部３５１を有する。押圧部３５１は、その下部に押圧係合部３５２を有する。押圧係合部３５２は、断面視、斜め形状を呈している（図６Ｂ参照）。従って、押圧部３５１を下方に押し下げると、押圧係合部３５２と係合し、かつ、バネ部３５５によって後方Ｒに付勢された、その係合受け部３５３は、そのバネ部３５５に抗して、前方向Ｆに移動する。これにより、図６Ａにおいて、平面視において係合受け部３５３と第２本体部３０１との間に傾いて配置されたコンセント係合部３５４が、２の側面部３０１ｄと平行になり、コンセント係合部３５４の内部に設けたコンセント孔部３５６も２の側面部３０１ｄと平行になることで、コンセント孔部３５６と係合していた図示しないコンセントの刃との係合が解かれ、そのコンセントの刃を抜くことができるというものである。このように、抜け止め部３５０は、押圧部３５１と、押圧係合部３５２と、係合受け部３５３と、バネ部３５５と、コンセント係合部３５４と、コンセント孔部３５６とを有するものである。
【００２５】
すなわち、コンセント孔部３５６は、コンセントの刃を挿入可能にするために、縦方向をコンセントの刃の縦方向の寸法よりわずかに大きく構成し、その幅方向のコンセントの刃の厚さよりわずかに大きく構成するほぼ直方形状を呈する縦長の孔形状を呈する構成である。したがって、コンセント孔部３５６にコンセント刃を挿入すると、コンセント孔部３５６は、底面部３０７に対し、図６Ａにおいて、２の側面部３０１ｄに対して傾くことになり、コンセント孔部３５６とコンセントの刃が係合することで、コンセント刃が抜けにくい構成となる。よって、上述のとおり、押圧部３５１を下方に押し下げると、係合受け部３５３が前方向Ｆに移動し、係合受け部３５３と第２本体部３０１との間に配置された、コンセント係合部３５４が、２の側面部３０１ｄと平行になり、コンセント係合部３５４の内部に設けた、コンセント孔部３５６も２の側面部３０１ｄと平行となることで、コンセント孔部３５６と図示しないコンセントの刃との係合が解かれ、コンセントの刃が抜けるというものである。
【００２６】
また、第２実施例のメインアダプタ部４００について説明する。第２実施例のメインアダプタ部４００は、メインアダプタ部２００に換えて使用することができるものであり、上述のサブアダプタ部３００を接続することができるものである。なお、上述のメインアダプタ部２００と同様の構成については、同一の符号を付し、その説明を省略することがある。
【００２７】
第２実施例のメインアダプタ部４００は、電源と接続するものであり、箱状を呈し、筐体としての第３本体部４０１を有している。第３本体部４０１は、建物に配置されているコンセントＣ２から電力の供給を受けるための一対の栓刃２０２、２０２と、を有する。一対の栓刃２０２、２０２は、電気コードであるコード部４０２を通じ、一対のピン受け部２０３、２０３に、図示しない接続部を介してそれぞれ電気的に接続されている。なお、一対の栓刃２０２、２０２とコード部４０２は従来周知のものである。
【００２８】
第２実施例のメインアダプタ部４００における一対のピン受け部２０３、２０３は、それぞれ被吸着部２０４、２０４を有し、その被吸着部２０４、２０４の中央に、孔状を呈する孔部２０５、２０５を有する。また、図示しないが上記と同様に、一対のピン受け部２０３、２０３は、被吸着部２０４、２０４の内方に配置されている。換言すれば、ピン受け部２０３、２０３の外方に被吸着部２０４、２０４が配置されている。従って、被吸着部２０４、２０４が外部に露出する構成であり、ピン受け部２０３、２０３は、いわば、孔状を呈する孔部２０５、２０５以外の部分を被吸着部２０４、２０４によって覆われている構成である。上述のとおり、被吸着部２０４、２０４のほぼ中央に、孔状を呈する孔部２０５、２０５を有するので、その孔部２０５、２０５を通じて、一対のピン受け部２０３、２０３に、上述のサブアダプタ部３００における一対の端子部３０２、３０２が接するという構成である。また、上述の一対の栓刃２０２、２０２と、一対のピン受け部２０３、２０３がそれぞれ電気的に接続されている。
【００２９】
また、被吸着部２０４、２０４は互いに隣接して配置されており、その境界部分に、壁となる壁部２０７を有する。この壁部２０７によって、被吸着部２０４、２０４は互いに仕切られている。また、被吸着部２０４、２０４は、文字通り、磁石と吸着する素材が好ましく、例えば、鉄系の素材が好ましい。
【００３０】
被吸着部２０４、２０４は、第３本体部４０１の側面部４０１ａに配置されている。側面部４０１ａは、側面視において、下面４０１ｃから、７５度傾いて配置されている。取り外し容易にするためである（図７Ｃ参照）。
【００３１】
電気機器に電気を供給するためのコンセント部２１０を、第３本体部４０１の上面４０１ｄに４箇所配置している。通常のテーブルタップとしても使用するためである。
【００３２】
また、第３実施例のメインアダプタ部５００について説明する。第３実施例のメインアダプタ部５００は、メインアダプタ部２００に換えて使用することができるものであり、上述のサブアダプタ部３００を接続することができるものである。なお、上述のメインアダプタ部２００と同様の構成については、同一の符号を付し、その説明を省略することがある。
【００３３】
第３実施例のメインアダプタ部５００は、電源と接続するものであり、箱状を呈し、筐体としての第４本体部５０１を有している。第４本体部５０１は、例えば建物に配置されているコンセントから電力の供給を受けるための一対の栓刃２０２、２０２と、を有する。一対の栓刃２０２、２０２は、電気コードであるコード部５０２を通じ、一対のピン受け部２０３、２０３にそれぞれ電気的に接続されている。なお、一対の栓刃２０２、２０２とコード部５０２は従来周知のものである。
【００３４】
第３実施例のメインアダプタ部５００における一対のピン受け部２０３、２０３は、それぞれ被吸着部２０４、２０４を有し、その被吸着部２０４、２０４のほぼ中央に、孔状を呈する孔部２０５、２０５を有する。また、図示しないが上記と同様に、一対のピン受け部２０３、２０３は、被吸着部２０４、２０４の内方に配置されている。換言すれば、ピン受け部２０３、２０３の外方に被吸着部２０４、２０４が配置されている。従って、被吸着部２０４、２０４が外部に露出する構成であり、ピン受け部２０３、２０３は、いわば、孔状を呈する孔部２０５、２０５以外の部分を被吸着部２０４、２０４によって覆われている構成である。上述のとおり、被吸着部２０４、２０４のほぼ中央に、孔状を呈する孔部２０５、２０５を有するので、その孔部２０５、２０５を通じて、一対のピン受け部２０３、２０３に、上述のサブアダプタ部３００における一対の端子部３０２、３０２が接するという構成である。また、上述の一対の栓刃２０２、２０２と、一対のピン受け部２０３、２０３がそれぞれ電気的に接続されている。
【００３５】
また、被吸着部２０４、２０４は互いに隣接して配置されており、その境界部分に、壁となる壁部２０７を有する。この壁部２０７によって、被吸着部２０４、２０４は互いに仕切られている。また、被吸着部２０４、２０４は、文字通り、磁石と吸着する素材が好ましく、例えば、鉄系の素材が好ましい。
【００３６】
被吸着部２０４、２０４および被吸着部２０４、２０４は、第４本体部５０１の上面部５０１ａに、それぞれ配置されている。
【００３７】
電気機器に電気を供給するためのコンセント部２１０を、さらに第４本体部５０１の上面部５０１ａに２箇所配置している。通常のテーブルタップとしても使用するためである。
【００３８】
また第４実施例のメインアダプタ部６００について説明する。第４実施例のメインアダプタ部６００は、メインアダプタ部２００に換えて使用することができるものであり、上述のサブアダプタ部３００を接続することができるものである。なお、上述のメインアダプタ部２００と同様の構成については、同一の符号を付し、その説明を省略することがある。
【００３９】
第４実施例のメインアダプタ部６００は、電源と接続するものであり、箱状を呈し、筐体としての第５本体部６０１を有している。第５本体部６０１は、建物に配置されているコンセントから電力の供給を受けるための一対の栓刃２０２、２０２と、を有する。一対の栓刃２０２、２０２は、電気コードであるコード部６０２を通じ、一対のピン受け部２０３、２０３に、それぞれ電気的に接続されている。 なお、一対の栓刃２０２、２０２とコード部６０２は従来周知のものである。
【００４０】
第４実施例のメインアダプタ部６００における一対のピン受け部２０３、２０３は、被吸着部２０４、２０４を有し、その被吸着部２０４、２０４の中央に、孔状を呈する孔部２０５、２０５を有する。また、図示しないが上記と同様に、一対のピン受け部２０３、２０３は、被吸着部２０４、２０４の内方に配置されている。換言すれば、ピン受け部２０３、２０３の外方に被吸着部２０４、２０４が配置されている。従って、被吸着部２０４、２０４が外部に露出する構成であり、ピン受け部２０３、２０３は、いわば、孔状を呈する孔部２０５、２０５以外の部分を被吸着部２０４、２０４によって覆われている構成である。上述のとおり、被吸着部２０４、２０４のほぼ中央に、孔状を呈する孔部２０５、２０５を有するので、その孔部２０５、２０５を通じて、一対のピン受け部２０３、２０３に、上述のサブアダプタ部３００における一対の端子部３０２、３０２が接するという構成である。また、上述の一対の栓刃２０２、２０２と、一対のピン受け部２０３、２０３がそれぞれ電気的に接続されている。
【００４１】
また、被吸着部２０４、２０４は互いに隣接して配置されており、その境界部分に、壁となる壁部２０７を有する。この壁部２０７によって、被吸着部２０４、２０４は互いに仕切られている。また、被吸着部２０４、２０４は、文字通り、磁石と吸着する素材が好ましく、例えば、鉄系の素材が好ましい。
【００４２】
被吸着部２０４、２０４および被吸着部２０４、２０４は、第５本体部６０１の上面部６０１ａに、それぞれ並べて配置されている。
【００４３】
電気機器に電気を供給するためのコンセント部２１０を、さらに第５本体部６０１の上面部６０１ａに２箇所並べて配置している。通常のテーブルタップとしても使用するためである。
【００４４】
さらに、他の実施例において他のメインアダプタ部７００と、他のサブアダプタ部８００について説明する。他のメインアダプタ部７００は、箱状を呈し、筐体としての他の本体部７０１を有している。なお、上述のメインアダプタ部２００と同様の構成については、同一の符号を付し、その説明を省略することがある。
【００４５】
他の本体部７０１は、例えば建物に配置されているコンセントＣ２から電力の供給を受けるための一対の栓刃２０２、２０２を有する（図１４参照）。また一対の栓刃２０２、２０２は、電気コードである電源コード７０２と通じてコンセントから電力の供給を受けるものであり、一対のピン受け部２０３、２０３とそれぞれ電気的に接続されている。 一対の栓刃２０２、２０２は、平板状を呈し、それらは本体部２０１から突出するように互いに平行に配置されている。
【００４６】
他のメインアダプタ部７００は被吸着部２０４、２０４が配置されている。また、その内方に図示しない一対のピン受け部２０３、２０３が配置され、その構成は、すでに述べたとおりである。従って図示しないが、あえて説明すると、被吸着部２０４、２０４の内方に配置されている。換言すれば、ピン受け部２０３、２０３の外方に被吸着部２０４、２０４が配置されている。従って、被吸着部２０４、２０４が外部に露出する構成であり、ピン受け部２０３、２０３は、いわば、孔状を呈する孔部２０５、２０５以外の部分を被吸着部２０４、２０４によって覆われている構成である。上述のとおり、被吸着部２０４、２０４のほぼ中央に、孔状を呈する孔部２０５、２０５を有するので、その孔部２０５、２０５を通じて、一対のピン受け部２０３、２０３に、上述のサブアダプタ部３００における一対の端子部３０２、３０２が接するという構成である。また、上述の一対の栓刃２０２、２０２と、一対のピン受け部２０３、２０３がそれぞれ電気的に接続されている。
【００４７】
また、被吸着部２０４、２０４は互いに隣接して配置されており、その境界部分に、壁となる壁部２０７を有する。この壁部２０７によって、被吸着部２０４、２０４は互いに仕切られている。また、被吸着部２０４、２０４は、文字通り、磁石と吸着する素材が好ましく、例えば、鉄系の素材が好ましい。
【００４８】
他のサブアダプタ部８００について説明する。なお、サブアダプタ部３００と同様の構成については、同一の符号を付し、その説明を省略することがある。サブアダプタ部８００は、箱状を呈し、筐体としての他の第２本体部８０１と、を有し、その１側面部８０１ａに一対の端子部３０２、３０２と、を有する。また、一対の端子部３０２、３０２とそれぞれ電気的に接続された電気コードであるコード部８０２とを有し、電気機器９００に接続されている。
【００４９】
さらに、他の第２メインアダプタ部１０００について説明する。他の第２メインアダプタ部１０００は、いわばコンセントＣ１の一部として配置するものであり（図１３参照）、従来の電源プラグの差込口１００１と同様に、他のメインアダプタ部１０００は、電源と接続され、電源を供給することができる。なお、メインアダプタ部２００と同一の構成に付いては同様の符号を付し、その説明を省略する場合がある（図１１、１２参照）。
【００５０】
他のメインアダプタ部１０００は、被吸着部２０４、２０４を有し、その被吸着部２０４、２０４のほぼ中央に、孔状を呈する孔部２０５、２０５を有する。また、一対のピン受け部２０３、２０３は、被吸着部２０４、２０４の内方に配置されている。換言すれば、ピン受け部２０３、２０３の外方に被吸着部２０４、２０４が配置されている。従って、被吸着部２０４、２０４が外部に露出する構成であり、ピン受け部２０３、２０３は、いわば、被吸着部２０４、２０４によって、孔部２０５、２０５以外は覆われている構成である。上述のとおり、被吸着部２０４、２０４のほぼ中央に、孔状を呈する孔部２０５、２０５を有するので、その孔部２０５、２０５を通じて、一対のピン受け部２０３、２０３に、上述のサブアダプタ部３００における一対の端子部３０２、３０２が接するという構成である。なお、ピン受け部２０３、２０３は、電源受け入れ端子２２０、２２１と図示しない電線とが電気的に接続されているので、上述のサブアダプタ部３００に電源を供給することができる（図１２参照）。
【００５１】
なお、被吸着部２０４、２０４は互いに隣接して配置されており、その境界部分に壁となる壁部２０７を有する。この壁部２０７によって、被吸着部２０４、２０４は互いに仕切られている。また、被吸着部２０４、２０４は、文字通り、磁石と吸着する素材が好ましく、例えば、鉄系の素材が好ましい。コンセントＣ１は、他の第２メインアダプタ部１０００が取り付けられているほかは、電源プラグの差込口１００１を複数有するので後述する従来のコンセントＣ２における電源プラグの差込口１００１と、その構成は同様である。従って、電源プラグの差込口１００１は、図示しない電源と電気的に接続されているので、電源を供給することができる（図１３参照）。
【００５２】
このように上述のいずれかのメインアダプタ部と、いずれかのサブアダプタ部とはそれぞれ接続可能である。なお図示しないが、他のサブアダプタ部８００において、一対の端子部３０２、３０２の周囲に、被吸着部２０４、２０４と吸着する磁石からなるマグネット部３０４、３０４を有する。すなわち他のサブアダプタ部８００におけるマグネット部３０４、３０４は、それぞれ孔であるマグネット孔部３０５、３０５を有し、そのマグネット孔部３０５、３０５に、一対の端子部３０２、３０２がそれぞれ、挿入されることで、その一対の端子部３０２、３０２の周囲に、被吸着部２０４、２０４が配置される構成であり、サブアダプタ部３００と同様であることはいうまでもない。
【００５３】
使用方法としては、メインアダプタ部２００を例えば室内に配置されている従来のコンセントＣ２に接続する。すなわち一対の栓刃２０２、２０２をコンセントＣ２における電源プラグの差込口１００１に接続する。第２実施例のメインアダプタ部４００および第３実施例のメインアダプタ部５００、第４実施例のメインアダプタ部６００についても同様である。これらの一対のピン受け部２０３、２０３に、サブアダプタ部３００における一対の端子部３０２、３０２を接触させるように配置する。すなわち被吸着部２０４、２０４における孔部２０５、２０５に一対の端子部３０２、３０２を挿入すると、メインアダプタ部２００における被吸着部２０４、２０４と、サブアダプタ部３００におけるマグネット部３０４、３０４を吸着する。これにより、メインアダプタ部２００とサブアダプタ部３００とが着脱可能となるとともに、サブアダプタ部３００に、磁石からなるマグネット部３０４、３０４を配置することで、金属性のピンなどが、このマグネット部３０４に付着しても、サブアダプタ部３００はコンセントＣ２から直接電源を供給されないので、感電する可能性を排除することができる。また、特に、一対の端子部３０２、３０２に絶縁体が配置される場合は、さらに安全性が強化されるのである。なお、他のメインアダプタ部１０００においても同様であり、また、コンセントＣ１の一部として配置することができる。
【符号の説明】
【００５４】
１０  電源アダプタ
２００  メインアダプタ部
２０１  第１本体部
２０２  栓刃
２０３  ピン受け部
２０４  被吸着部
２０５  孔部
２０７  壁部
２１０  コンセント部
３００  サブアダプタ部
３０１  第２本体部
３０１ｃ  １側面部
３０１ｄ  ２の側面部
３０２  端子部
３０２ａ  先端部
３０２ｂ  軸部
３０４  マグネット部
３０６  溝部
３５０  抜け止め部
３５１  押圧部
３５２  押圧係合部
３５３  係合受け部
３５４  コンセント係合部
３５５  バネ部３５５
３５６  コンセント孔部
４００  第２実施例のメインアダプタ部
５００  第３実施例のメインアダプタ部
６００  第４実施例のメインアダプタ部
７００  他のメインアダプタ部
８００  他のサブアダプタ部
１０００  他のメインアダプタ部
【図１】
0003222881.tif 000003
【図２】
0003222881.tif 000004
【図３】
0003222881.tif 000005
【図４】
0003222881.tif 000006
【図５】
0003222881.tif 000007
【図６】
0003222881.tif 000008
【図７】
0003222881.tif 000009
【図８】
0003222881.tif 000010
【図９】
0003222881.tif 000011
【図１０】
0003222881.tif 000012
【図１１】
0003222881.tif 000013
【図１２】
0003222881.tif 000014
【図１３】
0003222881.tif 000015
【図１４】
0003222881.tif 000016